(57)【要約】本発明は、信号要素における第１部分の第１情報、及び信号発信元と信号受信先間で移動する前記信号要素を管理するために関連づけられた第２部分の第２情報を含む第１の信号要素のための伝送方法であって、前記信号発信元と前記信号受信先間で前記信号要素が移動するとき、少なくとも１つの補助的な信号要素の第１部分に前記第２情報を与えるステップと、ある信号発信元からある信号受信先へ、前記第１の信号要素と１または複数の補助的な信号要素とを伝送するステップと、前記信号受信先での第１部分の第１情報が、前記第１の信号要素における第１部分の第１情報と同一であり、かつ前記信号受信先での第２部分の情報が、前記１または複数の補助的な信号における第１部分の第２情報と同一である新たな信号要素を提供するステップと、その結果前記信号受信先では、実質的に本来の形式での前記第１の信号要素を提供するステップとを有することを特徴としている。
2005504456.tif 000002
【特許請求の範囲】
【請求項１】
信号要素における第１部分の第１情報、及び信号発信元と信号受信先間で移動する信号要素を管理するために関連づけられた第２部分の第２情報を含む第１の信号要素のための伝送方法であって、
前記信号発信元と前記信号受信先間で前記信号要素が移動するとき、前記信号要素の第２部分における少なくともいくつかの第２情報で変換を行う伝送システムにおいて、
少なくとも１つの補助的な信号要素の第１部分に前記第２情報を与えるステップと、
ある信号発信元からある信号受信先へ、前記第１の信号要素と１または複数の補助的な信号要素とを伝送するステップと、
前記信号受信先での第１部分の第１情報が、前記第１の信号要素における第１部分の第１情報と同一であり、かつ前記信号受信先での第２部分の情報が、前記１または複数の補助的な信号における第１部分の第２情報と同一である新たな信号要素を提供するステップと、
その結果前記信号受信先では、実質的に本来の形式での前記第１の信号要素を提供するステップとを有することを特徴とする伝送方法。
【請求項２】
前記第２情報は、伝送管理命令を含んでいることを特徴とする請求項１に記載の方法。
【請求項３】
前記第２情報は、経路管理命令を含んでいることを特徴とする請求項１または２に記載の方法。
【請求項４】
伝送の前に同一の置換え信号要素によって前記第１の信号要素を置換え、かつ伝送中及び伝送後に前記第１の信号要素の代わりに、前記置換え信号要素を用いるステップを含んでいることを特徴とする請求項１〜３のいずれか１項に記載の方法。
【請求項５】
同一の前記信号発信元と前記信号受信先間で移動する前記信号要素における各第１部分の情報、及び前記信号要素の管理のために共通に関連づけられた各第２部分の第２情報を含む複数の信号要素を伝送する方法であって、
少なくとも１つの補助的な信号要素の第１部分に前記複数の信号要素に関して共通に関連づけられた第２情報を提供するステップと、
前記信号受信先での各第１部分の第１情報が、前記複数の信号要素における第１部分の第１情報と同一であり、かつ前記信号受信先での各第２部分の第２情報が、前記補助的信号要素における第１部分の第２情報と同一である複数の新たな信号要素を提供するステップとを有していることを特徴とする請求項１に記載の方法。
【請求項６】
前記複数の信号要素の第２部分は、対応する複数の追加信号要素におけるそれぞれの第１部分に整列命令を供給するステップと、
前記整列命令をそれぞれの信号要素に連結する接続命令を供給するステップと、
前記信号受信先で、前記複数の追加信号要素の第１部分から前記複数の信号要素のそれぞれの第２部分へ、前記整列命令を復帰するステップとを有する前記信号要素のための各整列命令を含むことを特徴とする請求項５に記載の方法。
【請求項７】
前記受信先で、前記複数の信号要素における信号要素を整列するために、前記整列命令を用いるステップを含むことを特徴とする請求項６に記載の方法。
【請求項８】
信号要素が、デジタル通信システム上で伝送される信号フレームであることを特徴とする請求項１〜７のいずれか１項に記載の方法。
【請求項９】
取り込まれた情報、または補助的な各信号フレームは、エラー保護されていることを特徴とする請求項１〜８のいずれか１項に記載の方法。
【請求項１０】
取り込まれた情報、または補助的な各信号フレームは、前方誤り訂正（ＦＥＣ）の対象であることを特徴とする請求項１〜９のいずれか１項に記載の方法。
【請求項１１】
ＳＤＨ信号上で、請求項１〜１０のいずれか１項に記載の伝送方法を実行するため動作可能であることを特徴とするＳＤＨネットワーク。
【請求項１２】
ＳＯＮＥＴ信号上で、請求項１〜１０のいずれか１項に記載の伝送方法を実行するため動作可能であることを特徴とするＳＤＨネットワーク。
【請求項１３】
ＳＯＮＥＴ信号上で、請求項１〜１０のいずれか１項に記載の伝送方法を実行するため動作可能であることを特徴とするＳＯＮＥＴネットワーク。
【請求項１４】
ＳＤＨ信号上で、請求項１〜１０のいずれか１項に記載の伝送方法を実行するため動作可能であることを特徴とするＳＯＮＥＴネットワーク。
【請求項１５】
ＳＤＨ信号上で、請求項１〜１０のいずれか１項に記載の伝送方法を実行するため動作可能であることを特徴とするＳＤＨネットワークに関するＳＤＨネットワーク要素。
【請求項１６】
ＳＯＮＥＴ信号上で、請求項１〜１０のいずれか１項に記載の伝送方法を実行するため動作可能であることを特徴とするＳＤＨネットワークに関するＳＤＨネットワーク要素。
【請求項１７】
ＳＯＮＥＴ信号上で、請求項１〜１０のいずれか１項に記載の伝送方法を実行するため動作可能であることを特徴とするＳＯＮＥＴネットワークに関するＳＯＮＥＴネットワーク要素。
【請求項１８】
ＳＤＨ信号上で、請求項１〜１０のいずれか１項に記載の伝送方法を実行するため動作可能であることを特徴とするＳＯＮＥＴネットワークに関するＳＯＮＥＴネットワーク要素。
【発明の詳細な説明】
【技術分野】
【０００１】
本発明は、伝送方法に関する。本伝送方法は、特に、信号要素における第１部分の第１情報と、信号発信元と信号受信先間で移動する信号要素を管理するために前記信号要素において関連づけられた第２部分の第２情報とを含む信号要素を伝送するのに最適なものであって、信号発信元と信号受信先間で信号要素が移動するとき、信号要素における第２部分の少なくともいくつかの第２情報に変換される伝送システムにおけるものである。
【背景技術】
【０００２】
デジタル伝送システムにおける信号フレームは、前記信号要素における第１部分の情報、及び信号発信元と信号受信先間で移動する信号要素を管理するために伝送要素において関連づけられた第２部分の第２情報を含む信号要素である。信号発信元と信号受信先間の信号ステージに沿った信号フレームの伝送では、関連づけられた第２情報は、そのステージ間のノードで修正される。
【発明の開示】
【課題を解決するための手段】
【０００３】
本発明は、信号要素における第１部分の第１情報、及び信号発信元と信号受信先間で移動する前記信号要素を管理するために関連づけられた第２部分の第２情報を含む第１の信号要素のための伝送方法を提供し、前記信号発信元と前記信号受信先間で前記信号要素が移動するとき、前記信号要素の第２部分における少なくともいくつかの第２情報で変換を行う伝送システムにおけるものである。そして、その方法は、少なくとも１つの補助的な信号要素の第１部分に前記第２情報を与えるステップと、ある信号発信元からある信号受信先へ、前記第１の信号要素と１または複数の補助的な信号要素とを伝送するステップと、前記信号受信先での第１部分の第１情報が、前記第１の信号要素における第１部分の第１情報と同一であり、かつ前記信号受信先での第２部分の情報が、前記１または複数の補助的な信号における第１部分の第２情報と同一である新たな信号要素を提供するステップと、その結果前記信号受信先では、実質的に本来の形式での前記第１の信号要素を提供するステップとを有している。
【０００４】
第２情報の例は、伝送管理命令、経路管理命令、性能管理情報、及び構成管理命令を含んでいる。
【０００５】
好ましくは、その方法は、伝送の前に同一の置換え信号要素によって前記第１の信号要素を置換え、かつ伝送中及び伝送後に前記第１の信号要素の代わりに、前記置換え信号要素を用いるステップを含んでいる。
【０００６】
好ましくは、同一の信号発信元と信号受信先間で移動する前記信号要素における各第１部分の情報、及び前記信号要素の管理のために共通に関連づけられた各第２部分の第２情報を含む複数の信号要素を伝送する方法であって、少なくとも１つの補助的な信号要素の第１部分に前記複数の信号要素に関して共通に関連づけられた第２情報を提供するステップと、前記信号受信先での各第１部分の第１情報が、前記複数の信号要素における第１部分の第１情報と同一であり、かつ前記信号受信先での各第２部分の第２情報が、前記補助的信号要素における第１部分の第２情報と同一である複数の新たな信号要素を提供するステップとを有している。
【０００７】
好ましくは、前記第２情報は、受信先で信号要素の整列を生じさせるための命令を含んでおり、かつ、その方法は受信先で複数の信号要素における信号要素を整列させるために前記第２の命令を用いるステップを含んでいる。
【０００８】
好ましくは、ある信号要素は、デジタル通信システム上で伝送される信号フレームである。好ましくは、そこに取り込まれた情報、または補助的な各信号フレームは、エラー保護されている。好ましくは、そこに取り込まれた情報、または補助的な各信号フレームは、前方誤り訂正（ＦＥＣ）を必要とする。
【０００９】
前記伝送方法を実行するため動作可能なＳＤＨネットワークが、ＳＤＨ信号上で用いられる。
前記伝送方法を実行するため動作可能なＳＤＨネットワークが、ＳＯＮＥＴ信号上で用いられる。
前記伝送方法を実行するため動作可能なＳＯＮＥＴネットワークが、ＳＯＮＥＴ信号上で用いられる。
前記伝送方法を実行するため動作可能なＳＯＮＥＴネットワークが、ＳＤＨ信号上で用いられる。
【００１０】
ＳＤＨネットワークに含まれ、適切に整列されたＳＤＨネットワーク要素は、ＳＤＨ信号上で前記伝送方法を実行するほど動作可能になるＳＤＨネットワークを提供する。
ＳＤＨネットワークに含まれ、適切に整列されたＳＤＨネットワーク要素は、ＳＯＮＥＴ信号上で前記伝送方法を実行するほど動作可能になるＳＤＨネットワークを提供する。
ＳＯＮＥＴネットワークに含まれ、適切に整列されたＳＯＮＥＴネットワーク要素は、ＳＯＮＥＴ信号上で前記伝送方法を実行するほど動作可能になるＳＯＮＥＴネットワークを提供する。
ＳＯＮＥＴネットワークに含まれ、適切に整列されたＳＯＮＥＴネットワーク要素は、ＳＤＨ信号上で前記伝送方法を実行するほど動作可能になるＳＯＮＥＴネットワークを提供する。
【００１１】
本発明に従った方法は、添付図面に関して、例示したやり方によってのみ説明されるだろう。
【００１２】
（発明の詳細）
添付図面の図１を参照すると、ＳＤＨのＳＴＭ−１フレームは、ＳＤＨペイロードとして第１情報を伝えるためのパス・オーバヘッド（ＰＯＨ）と仮想コンテナ（ＶＣ）とからなる第１部分１ａ、及びマルチセクション・オーバヘッド（ＭＳＯＨ）と、再生セクション・オーバヘッド（ＲＳＯＨ）とを含む第２情報を伝えるための第２部分１ｂとを有している。
【００１３】
添付図面の図２を参照すると、ＳＤＨ配置は、ＳＤＨネットワーク４と、単一のフレームから２つのフレームを生成することが可能で、ＳＤＨネットワーク４の入力側に接続された第１のＳＤＨネットワーク要素３と、２つのフレームから単一のフレームを生成することが可能で、ＳＤＨネットワーク４の出力側に接続された第２のＳＤＨネットワーク要素５を有している。前記第１のＳＤＨネットワーク要素３は入力ポート２を有し、第２のＳＤＨネットワーク要素５は出力ポート６を有している。
【００１４】
図２に示す配置の動作では、第１のＳＤＨネットワーク要素３の入力ポート２に入力するＳＤＨ信号フレームから図３に示すような２つのＳＤＨフレームが生成されて、その２つのフレームはＳＤＨネットワーク４を介して通過し、そして、添付図面の図４に示すように、前記処理を逆に行う第２のＳＤＨネットワーク要素５に達する。
【００１５】
添付図面の図３を参照すると、前記図１に示した信号フレームと同一の信号フレーム１は、２つのＳＤＨフレーム７、８を生じさせる。フレーム７のＶＣ及びＰＯＨのペイロードは、フレーム１のパラメータ一致して同一なものである。ＲＳＯＨ及びＭＳＯＨは、必要でないかもしれないが、フレーム１のパラメータに一致した同じものである。フレーム８のＶＣに関するペイロードの一部または全ては、フレーム１のＲＳＯＨ及びＭＳＯＨから構成される。ＲＳＯＨが、ペイロードに依存し、かつフレーム７のＭＳＯＨは必要でないかもしれないがフレーム１のＭＳＯＨと同一であるので、フレーム８のＲＳＯＨは、フレーム１のＲＳＯＨと異なっている。フレーム１、７、及び８に関するＲＳＯＨ及びＭＳＯＨが、上述したことに関連したＩＴＵ文書Ｇ．７０７の規定に従って生成される。
【００１６】
フレーム１からの２つのフレーム７，８の生成は、図２における第１のＳＤＨネットワーク要素３によって実施され、そして、前記第１のＳＤＨネットワーク要素３は、ＳＤＨネットワーク４の入力として前記２つのフレーム７，８を与える。
【００１７】
フレーム７，８が、フレーム１にかわってＳＤＨネットワーク４に与えられる。ＳＤＨネットワーク４は、フレーム７，８を同じ受信先に移動する。フレーム７，８が、その第１部分７ａ，８ａの本来のペイロードとともに、第２のＳＤＨネットワーク要素５に引き渡される。もちろん、伝送手順または他の方法のいずれかよって、フレーム８とフレーム７とを区別できることが必要である。
【００１８】
第２のＳＤＨネットワーク要素５は、その第１部分１ａにおける本来のペイロードを含む本来の信号フレーム１、及びその第２部分１ｂにおける本来の第２情報を提供することによって動作する。その結果は、信号フレーム７，８からのペイロード、信号フレーム７，８がＳＤＨネットワーク４を通過するとき変換されずにそのまま残るペイロードを検索することによって生じる。信号フレーム７の第１部分７ａからのペイロードは、信号フレーム１における第１部分１ａのペイロードと同一であり、信号フレーム８の第１部分８ａからのペイロードは、信号フレーム１における第２部分１ｂのＲＳＯＨ及びＭＳＯＨと同一である。信号フレーム７，８における第２部分７ｂ，８ｂの修正されたＲＳＯＨ及びＭＳＯＨは、適切になるように処理される。
【００１９】
事実上、再構築された信号フレームは、あらゆる点で本来の信号フレーム１と同一であり、デジタル伝送システムにおける出力ポート６から送信される。添付図面の図４は、フレーム７，８から供給される本来のフレーム１を示している。
【００２０】
第２のＳＤＨネットワーク要素５は、逆感知で動作し、ポート６から第２のＳＤＨネットワーク要素５を通ってＳＤＨネットワーク４へＳＤＨフレームの伝送を許可することができるようにする。この場合、第２のＳＤＨネットワーク要素５は、単一の入力フレームから２つのフレームを生成する第１のＳＤＨネットワーク要素３が行ったように実行する。さらに、第１のＳＤＨネットワーク要素３はそのときは反対に動作し、第２のＳＤＨネットワーク要素５によって生成された２つのフレームから単一のフレームを提供する。
【００２１】
補助的な単一のフレームが、ＲＳＯＨ及びＭＳＯＨを送る能力のあるＶＣを有していないイベントにおいて、１個の補助的なフレームよりも多くのフレームが、添付図面の図５に示されているように用いられる。上述したように、第１情報及び第２情報のペイロードが正確に識別されるようにするため、フレームを互いに区別するために用いられるステップが必要となる。
【００２２】
図６は、各フレームにとってかわる一組のフレームを与えることによって、前記伝送方法が、異なる第２情報を送る複数の信号フレームに適用されることを示している。前記一組のフレームの１つは、本来のフレームから複写した第１情報を第１情報として送り、かつ、前記一組のフレームの２つめは、その第１部分にある本来のフレームからの第２情報を第１情報として送る。
【００２３】
また、第１部分に複数の信号フレームの共通した第２情報を送る補助的な信号フレームを供給することによって、前記伝送方法は、同一の発信元と受信先間で転送される共通の第２情報を送る複数の信号フレームに適用される。その手順に関しては、補助的な信号フレームの第１部分から共通した情報を抽出することによって、その本来の共通した第２情報を複数の信号フレームの第２部分に再導入することにより、本来の複数の信号フレームが受信先で再構築される。この配置は、添付した図７によって表されている。
【００２４】
前記第２情報は、受信先で信号要素の整列を生じさせる命令を含むことが可能である。この場合、さらに、信号要素の整列を生じさせるための命令が、信号フレームの中に含まれる。それは、図５または図６に示されるフレームであって、受信先で複数の信号要素を検索し、かつ整列させるために用いられる第２情報である。
【００２５】
前記伝送方法は、国際電気通信連合（ＩＴＵ）に出版されたＧ．７０７を含む文書によって規定されるような同期式ディジタルハイアラキ（ＳＤＨ）に対して特に適用され得るものである。そこでは、同期トランスポート・モジュールのレベル１[ＳＴＭ−１]と称される基本信号フレームが伝送される。
【００２６】
前記伝送方法に関連し、ＳＴＭ−１は、ペイロードを送信するための第１部分と、管理情報を送信するための第２部分とを含む図１に示すような単一のフレームである。ここで、管理情報とは、例えば、経路管理情報、伝送管理情報、性能管理情報、または構成管理情報或いは管理情報の型（ＲＳＯＨ、ＰＴＲ、ＭＳＯＨ）の組み合わせを含んでいる。
【００２７】
仮想コンテナ−ｎ（ＶＣ−ｎ）と称されるＳＴＭ−１の第１部分、及びＶＣ−ｎの幾つかの標準伝達量は、以下の表のものが用いられる。
【表１】
2005504456.tif 000003
【００２８】
仮想コンテナ型のＶＣ−ｎ−Ｘｃ（ＶＣ−４−４ｃ、ＶＣ−４−１６ｃ、ＶＣ−４−６４ｃ、及びＶＣ−４−２５６ｃ）は、Ｘ連続して連結されたＶＣ−ｎｓであり、そのＶＣ−ｎｓというのは、組み合わされた伝達量が、ビット配列の完全性が維持された単一のコンテナとして用いられる結果にほぼ関係づけられた複数の仮想コンテナである。
【００２９】
ＳＴＭ−１の第２部分は、経路を含む管理情報と、再生セクション・オーバヘッド（ＲＳＯＨ）及びマルチセクション・オーバヘッド（ＭＳＯＨ）を含む伝送管理情報とが存在するセクション・オーバヘッドを送信する。また、ＳＴＭ−１の第２部分で送信されるものは、Ｊ１、Ｂ３，Ｃ２、Ｇ１、Ｆ２、Ｈ４、Ｆ３、Ｋ３、及びＮ１として識別された情報要素である。
【００３０】
ＳＴＭ−１に適用された前記伝送方法の例を以下に示す。以下に引用されるパラメータの全ては、Ｇ．７０７文書で規定されている。
【００３１】
（ａ）本来のペイロードＶＣ−４が、新たなＶＣ−４へ写像される。
（ｂ）全セクション・オーバヘッド[ＳＯＨ]（つまり、ＲＳＯＨ及びＭＳＯＨ）が、３連結されたＶＣ−１２ｓへ写像される。替わりとして、それらが４つのＶＣ−１１ｓ、またはＶＣ−２ｓ、ＶＣ−３ｓ、或いはＶＣ−４ｓを含む他の複数のＶＣｓへ写像される。上述したように、組み合わされた伝達量が、ビット配列の完全性が維持された単一のコンテナとして用いられる結果にほぼ関係づけられた複数の仮想コンテナが、連結されたコンテナを供給する。
【００３２】
（ｃ）前記（ｂ）の替わりとして、例えば、フレーム語及びＮＵ（不使用）バイトを写像することなく、ＲＳＯＨとＭＳＯＨとを転送するために要求されたＶＣｓ数を減らすことことによって、より有効なバンド幅の利用が、全てでなく幾つかのセクション・オーバヘッドを写像することで達成される。
【００３３】
（ｄ）仮想コンテナのためのＨ４ビット位置に用いられるような同一のフレーム手順のコーディングが、連結したＶＣｓのフレーム、例えば、Ｋ３バイトのようなパス・オーバヘッドにおける不使用なバイトに配置されるコーディングとともに、本来のＳＴＭ−１のＶＣ−４フレームを整列するために用いられる。
【００３４】
あるいはまた、ＶＣ−４フレーム手順のための８ビットコードを生成するため、パス・オーバヘッドにおける任意数のビットをマルチフレーミングすることによって、８ビットが生成される。例えば、Ｋ３ビット位置に用いられないビット５及び６は、ＶＣ−４フレーム手順を作り出すＨ４ビットのように扱われる８番目のビットを生成するために、マルチフレーム化された４フレームである。フレーム手順の値は、例えば、Ｇ．７０７に規定されているような座標１，２，６でのバイトのような、ＳＯＨにおける不使用のバイトの１つに複写される。
【００３５】
（ｅ）転送されるペイロード型を示す新たな信号ラベルコードが、Ｃ２ビット位置に挿入される。例えば、コード１１１０  ０００１が用いられる。
（ｆ）ＶＣ−４ｓと、本来のＳＴＭ−１のＳＯＨが、バンド内または順方向誤り訂正（ＦＥＣ）のバンド外で用いられることによって、エラー保護される。
【００３６】
同期式ディジタルハイアラキが処理可能な他の同期トランスポート・モジュールは、識別されたＶＣ−４−４ｃ、ＶＣ−４−１６ｃ、ＶＣ−４−６４ｃ、及びＶＣ−４−２５６ｃをそれぞれに含むＳＴＭ−４、ＳＴＭ−１６、ＳＴＭ−６４、及びＳＴＭ−２５６を有している。
【００３７】
前記伝送方法は、少なくとも１つの補助的な信号フレームのペイロード部分における仮想コンテナとして同一の第２情報を提供すること、及び整列命令を配置し、かつ個々の信号フレームに連結したペイロード部分に信号フレームをさらに提供することによって、他のＳＴＭｓに適用可能である。送信先で、前記第２情報及び整列命令が、補助的で後続の信号フレームのペイロードから検索され、そして本来のＳＴＭへと再び集められる。
【００３８】
前記伝送方法は、例えば、米国規格協会（ＡＮＳＩ）に適合する同期式光ネットワーク（ＳＯＮＥＴ）のような他の形式のネットワークを含むデジタル伝送システムに専用の信号フレームにおけるＳＤＨ伝送に適用可能である。この場合、ＳＯＮＥＴにおけるＳＯＨは、適切なサイズの１またはそれ以上のＶＣｓ（あるＶＣ−１１或いはＶＣ−１２、または他のＶＣ）に写像され、そして、ＳＯＮＥＴ同期ペイロード包絡線（ＳＰＥ）がＶＣ−３に写像される。前記ＳＯＮＥＴ  ＳＰＥは、ＳＤＨペイロードの写しである。
【００３９】
前記伝送方法を用い、包含された第１及び第２情報のそれぞれの容量に従ったＳＤＨ  ＶＣの適切な選択が行われることによって、ＳＤＨ信号またはＳＯＮＥＴ信号が、ＳＤＨネットワーク上で伝送される。あるいはまた、前記伝送方法を用い、包含された第１及び第２情報のそれぞれの容量に従ったＳＯＮＥＴの適切な選択が行われることによって、ＳＤＨ信号またはＳＯＮＥＴ信号が、ＳＯＮＥＴネットワーク上で伝送される。
【００４０】
ＳＤＨシステムに関係する図１〜図７は、包含された第１及び第２情報量と用語とに対する適切な調整によって、ＳＯＮＥＴシステムに同様に適用可能である。
【００４１】
図２を参照すると、ＳＤＨネットワーク要素３が、ＳＤＨのＩＴＵ文書Ｇ．７８３に一致して規定される。しかし、それは、補助的なハードウェア及びソフトウェアを含むことによって、ある方向における信号の流れを作るために図３に示した１つのフレームを２つのフレームに分離する機能を実現し、その反対方向における信号の流れを作るために図４に示した２つのフレームから本来のフレームを再構築する機能を実現することに関して、修正され得る。同様のことが、図２に示すＳＤＨネットワーク要素５に適用される。
【００４２】
包含された標準間の相違を取り扱うための適切な調整によって、ＳＤＨネットワーク要素３及び５に一致する同等のＳＯＮＥＴネットワーク要素が得られる。
【図面の簡単な説明】
【００４３】
【図１】国際電気通信連合（ＩＴＵ）ドキュメントＧ．７０７で規定された同期式ディジタルハイアラキ（ＳＤＨ）のフレームを表す図である。
【図２】ＳＤＨネットワークに接続された本発明に従って信号を生成することが可能な第１及び第２のＳＤＨネットワーク要素を含むＳＤＨ配置を示す図である。
【図３】本発明に従った単一のＳＤＨフレームから２つのＳＤＨフレームを生成する様子を示した図である。
【図４】図３の２つのＳＤＨフレームの減少を本発明に従った単一のＳＤＨフレームで示した図である。
【図５】本発明に従って、１つのＳＤＨフレームを３つの関連したＳＤＨフレームに分離した様子を示した図である。
【図６】本発明に従って、複数のＳＤＨフレームの分離を、関連したＳＤＨフレームの組にした図である。
【図７】本発明に従って、補助的なＳＤＨフレームの供給を、複数のＳＤＨフレームで行うことを示した図である。
【図１】
2005504456.tif 000004
【図３】
2005504456.tif 000005
【図４】
2005504456.tif 000006
【図５】
2005504456.tif 000007
【国際公開パンフレット】
2005504456.tif 000008
2005504456.tif 000009
2005504456.tif 000010
2005504456.tif 000011
2005504456.tif 000012
2005504456.tif 000013
2005504456.tif 000014
2005504456.tif 000015
2005504456.tif 000016
2005504456.tif 000017
2005504456.tif 000018
2005504456.tif 000019
2005504456.tif 000020
2005504456.tif 000021
2005504456.tif 000022
2005504456.tif 000023
2005504456.tif 000024
2005504456.tif 000025
2005504456.tif 000026
2005504456.tif 000027
2005504456.tif 000028
【国際公開パンフレット（コレクトバージョン）】
2005504456.tif 000029
【国際調査報告】
2005504456.tif 000030
2005504456.tif 000031
2005504456.tif 000032